(57)【要約】【課題】包装箱や包装用の紐などを用いることなく最小限の包装材を利用し、かつ包装状態で手にした者がタオルの生地や肌触りを直感的にイメージして楽しむことができる、異なる大きさのタオルを組み合わせた折畳みタオルセット及び作成方法を提供する。【解決手段】大きさの大きい１枚の平面視長方形の第１のタオル１００とこれよりも大きさの小さい少なくとも１枚の第２のタオル２００を折りたたんで組み合わせた折畳みタオルセット１０であって、第１のタオル１００は上面が開口した四角い箱型形状に折り畳まれており、第２のタオルが巻かれるか折り畳まれて箱型形状の第１のタオル内に収容され、第１のタオルの周囲を少なくとも一部が透明又は半透明の包装材でラッピングされている。【選択図】図１
2018117960.tif 000002
【特許請求の範囲】
【請求項１】
大きさの大きい１枚の平面視長方形の第１のタオルとこれよりも大きさの小さい少なくとも１枚の第２のタオルを折りたたんで組み合わせた折畳みタオルセットであって、
前記第１のタオルは上面が開口した四角い箱型形状に折り畳まれており、前記第２のタオルが巻かれるか折り畳まれて前記箱型形状の第１のタオル内に収容され、
前記第１のタオルの周囲を少なくとも一部が透明又は半透明の包装材でラッピングされていることを特徴とする折畳みタオルセット。
【請求項２】
平面視長方形をなす第１のタオルを折畳みタオルセット作成台の上に置き、
前記第１のタオルを長手方向に２つ折りに折り重ねて、四角形状となった第１の折り重ね部分を形成し、
前記第１の折り重ね部分の同一面上において、周囲４辺のうち対向する１組の辺をそれぞれ同一幅だけ互いの辺が近づくように前記第１の折り重ね部分の同じ側の面である上面側に折り返して、互いに対向する第２の細長の折り重ね部分及び第３の細長の折り重ね部分を形成し、
この折り重ね状態のまま第１のタオルを裏返して作業台の上に置き、下側になった前記第２及び第３の細長の折り重ね部分のうち長手方向同一の一方の端部側及びこの近傍の第１の折り重ね部分を前記第２及び第３の細長の折り重ね部分のうち長手方向同一の他方の端部側に前記第１のタオルの上面側に同一幅で一部折り返して第４の細長の折り重ね部分を形成し、
前記第４の細長の折り重ね部分の上側の２枚をなす前記第４の折り重ね部分の領域と下側の２枚をなす前記第１の細長の折り重ね部分の領域との間を開いて第１の空間をつくり、前記第１の空間の一番奥に前記第３の細長の折り重ね部分の前記第１の空間の奥に最も離れた角部を押し込み、
前記第１の空間を形成するために引き上げた前記第４の折り重ね部分の角部を前記第１の空間に押し込まれた角部から最も離れた立上った前記第３の細長の折り重ね部分の外側に押し付け、これらの手順によって形成された第１の起立部を第１のタオルの上面の起立側に丸め込むことで、第１の仮側壁部を形成し、
下側になった前記第２及び第３の細長の折り重ね部分のうち長手方向同一の他方の端部側及びこの近傍の第１の折り重ね部分を前記第２及び第３の細長の折り重ね部分のうち長手方向同一の一方の端部側に前記第１のタオルの上面側に同一幅で一部折り返して第５の細長の折り重ね部分を形成し、
前記第５の細長の折り重ね部分の上側の２枚をなす前記第５の折り重ね部分の領域と下側の２枚をなす前記第１の細長の折り重ね部分の領域との間を開いて第２の空間をつくり、前記第２の空間の一番奥に前記第３の細長の折り重ね部分の前記第２の空間の奥に最も離れた角部を押し込み、
前記第２の空間を形成するために引き上げた前記第４の折り重ね部分の角部を前記第２の空間に押し込まれた角部から最も離れた立上った前記第３の細長の折り重ね部分の外側に押し付け、これらの手順によって形成された第２の起立部を第１のタオルの上面の起立側に丸め込むことで、第２の仮側壁部を形成し。
前記第１の仮側壁部と前記第２の仮側壁部の両端をそれぞれ繋ぐように立ち上がった部分を第３の仮側壁部及び第４の仮側壁部とすると、前記第１の仮側壁部乃至第４の仮側壁部の全てを略垂直に立ち上げるように抑え込み、それぞれ第２のタオル収容用第１側壁部乃至第２のタオル収容用第４側壁部とし、
上記手順によって、第２のタオル収容用第１側壁部乃至第２のタオル収容用第４側壁部を箱の周囲側壁部とし箱の上部が開口した四角箱型の形態に前記第１のタオルを折り畳み、
前記第２のタオルをロール状に巻くか折り畳んだ状態で前記箱型形状をなす前記第１のタオルの前記開口部から前記箱内の空間に、当該空間が埋まるように押し込むことによって、前記箱型形状の第１のタオル内に前記第２のタオルが収容した折畳みタオルセットを形成させ、
前記折畳みタオルセットの全体を少なくとも一部が透明または半透明の包装材でラッピングすることで、ラッピング包装された折畳みタオルセットを作成することを特徴とする折畳みタオルセットの作成方法。
【請求項３】
請求項２に記載の折畳みタオルセットの作成方法の手順にかえて、
前記第５の細長の折り重ね部分を作成する手順を請求項２に記載された前記第４の細長の折り重ね部分に形成する手順の直後に行うことを特徴とする請求項３に記載の折畳みタオルセットの作成方法。
【発明の詳細な説明】
【技術分野】
【０００１】
本発明は、包装材を極力減らすと共に包装された状態においても見た目が美しく手に持った時の感触に優れた、異なる大きさのタオルを工夫しながら折りたたんでパッケージングした折畳みタオルセット及びその作成方法に関する。
【背景技術】
【０００２】
従来から販売や贈答のために折り畳まれて収納箱に入れられたタオルセットは広く知られている（例えば特許文献１及び特許文献２参照）。そして、特許文献１に記載された折畳みタオルセットは、同文献において開示されたように同一の大きさのタオルを複数個用意してこれをそれぞれロール状に巻いて包装フィルムで包みそれらを全て１つの包装箱に収容した形態を有している。
【０００３】
また、特許文献２に記載されたケーキ型タオル製装飾品は、ひとつのタオルを契機形状に折りたたんで透明フィルムによってパッケージングした形態を有している。
【先行技術文献】
【特許文献】
【０００４】
【特許文献１】特開２００８−９３１０９号公報
【特許文献２】特開２００６−１８７３３３号公報
【発明の概要】
【発明が解決しようとする課題】
【０００５】
しかしながら、特許文献１において開示された内容は、同一の大きさのタオルをそれぞれロール状に巻いて包装フィルムで包んでまとめて１つの包装箱に収容したものであり、タオル自体の折畳み方に工夫をしたものでは無い。また、包装フィルムで包んだ後に更に１つの包装箱に収容しているので、包装状態で手にした者がその中に収容されたタオルの生地や肌触りなどの材質感を直感的にイメージすることが難しい。また、実際にタオルを使用する際に包装箱を開けて更にそれぞれのタオルを包んだ包装フィルムを剥がす必要があり、手間がかかるとともに包装箱や複数の包装フィルムを廃棄しなければならず、限られた地球環境の資源を無駄遣いしてしまい好ましくない。
【０００６】
一方、特許文献２において開示された内容は、１枚のタオルの折り方を工夫してラッピングしたものに過ぎず、例えば複数枚のタオルを折り畳む場合であっても結局のところ同一の形状に折りたたんでケーキの形態を有する複数個のタオルができあがり、これらをまとめてラッピングするとそれぞれがラッピングの中でバラバラに動いて見栄えが悪くなってしまう。また、このようにバラバラに動くことを防ぐためにはリボンなどの装飾性に優れた紐で縛る必要が生じ、作成に手間がかかるとともにタオルの包装を解いて使用する際にこれらを廃棄しなければならず、上述した特許文献１と同様に限られた地球環境の資源を無駄遣いしてしまい好ましくない。
【０００７】
本発明の目的は、包装箱や包装用の紐などを用いることなく最小限の包装材を利用し、かつ包装状態で手にした者がタオルの生地や肌触りを直感的にイメージして楽しむことができる、異なる大きさのタオルを組み合わせた折畳みタオルセット及び作成方法を提供することにある。
【課題を解決するための手段】
【０００８】
上述の課題を解決するために、本発明の請求項１に係る折畳みタオルセットは、
大きさの大きい１枚の平面視長方形の第１のタオルとこれよりも大きさの小さい少なくとも１枚の第２のタオルを折りたたんで組み合わせた折畳みタオルセットであって、
前記第１のタオルは上面が開口した四角い箱型形状に折り畳まれており、前記第２のタオルが巻かれるか折り畳まれて前記箱型形状の第１のタオル内に収容され、
前記第１のタオルの周囲を少なくとも一部が透明又は半透明の包装材でラッピングされていることを特徴としている。
【０００９】
また、本発明の請求項２に係る折畳みタオルセットの作成方法は、
平面視長方形をなす第１のタオルを折畳みタオルセット作成台の上に置き、
前記第１のタオルを長手方向に２つ折りに折り重ねて、四角形状となった第１の折り重ね部分を形成し、
前記第１の折り重ね部分の同一面上において、周囲４辺のうち対向する１組の辺をそれぞれ同一幅だけ互いの辺が近づくように前記第１の折り重ね部分の同じ側の面である上面側に折り返して、互いに対向する第２の細長の折り重ね部分及び第３の細長の折り重ね部分を形成し、
この折り重ね状態のまま第１のタオルを裏返して作業台の上に置き、下側になった前記第２及び第３の細長の折り重ね部分のうち長手方向同一の一方の端部側及びこの近傍の第１の折り重ね部分を前記第２及び第３の細長の折り重ね部分のうち長手方向同一の他方の端部側に前記第１のタオルの上面側に同一幅で一部折り返して第４の細長の折り重ね部分を形成し、
前記第４の細長の折り重ね部分の上側の２枚をなす前記第４の折り重ね部分の領域と下側の２枚をなす前記第１の細長の折り重ね部分の領域との間を開いて第１の空間をつくり、前記第１の空間の一番奥に前記第３の細長の折り重ね部分の前記第１の空間の奥に最も離れた角部を押し込み、
前記第１の空間を形成するために引き上げた前記第４の折り重ね部分の角部を前記第１の空間に押し込まれた角部から最も離れた立上った前記第３の細長の折り重ね部分の外側に押し付け、これらの手順によって形成された第１の起立部を第１のタオルの上面の起立側に丸め込むことで、第１の仮側壁部を形成し、
下側になった前記第２及び第３の細長の折り重ね部分のうち長手方向同一の他方の端部側及びこの近傍の第１の折り重ね部分を前記第２及び第３の細長の折り重ね部分のうち長手方向同一の一方の端部側に前記第１のタオルの上面側に同一幅で一部折り返して第５の細長の折り重ね部分を形成し、
前記第５の細長の折り重ね部分の上側の２枚をなす前記第５の折り重ね部分の領域と下側の２枚をなす前記第１の細長の折り重ね部分の領域との間を開いて第２の空間をつくり、前記第２の空間の一番奥に前記第３の細長の折り重ね部分の前記第２の空間の奥に最も離れた角部を押し込み、
前記第２の空間を形成するために引き上げた前記第４の折り重ね部分の角部を前記第２の空間に押し込まれた角部から最も離れた立上った前記第３の細長の折り重ね部分の外側に押し付け、これらの手順によって形成された第２の起立部を第１のタオルの上面の起立側に丸め込むことで、第２の仮側壁部を形成し、
前記第１の仮側壁部と前記第２の仮側壁部の両端をそれぞれ繋ぐように立ち上がった部分を第３の仮側壁部及び第４の仮側壁部とすると、前記第１の仮側壁部乃至第４の仮側壁部の全てを略垂直に立ち上げるように抑え込み、それぞれ第２のタオル収容用第１側壁部乃至第２のタオル収容用第４側壁部とし、
上記手順によって、第２のタオル収容用第１側壁部乃至第２のタオル収容用第４側壁部を箱の周囲側壁部とし箱の上部が開口した四角箱型の形態に前記第１のタオルを折り畳み、
前記第２のタオルをロール状に巻くか折り畳んだ状態で前記箱型形状をなす前記第１のタオルの前記開口部から前記箱内の空間に、当該空間が埋まるように押し込むことによって、前記箱型形状の第１のタオル内に前記第２のタオルが収容した折畳みタオルセットを形成させ、
前記折畳みタオルセットの全体を少なくとも一部が透明または半透明の包装材でラッピングすることで、ラッピング包装された折畳みタオルセットを作成することを特徴としている。
【００１０】
また、本発明の請求項３に係る折畳みタオルセットの作成方法は、請求項３に記載の折畳みタオルセットの作成方法において、
請求項２に記載の折畳みタオルセットの作成方法の手順にかえて、
前記第５の細長の折り重ね部分を作成する手順を請求項２に記載された前記第４の細長の折り重ね部分に形成する手順の直後に行うことを特徴としている。
【発明の効果】
【００１１】
本発明によると、包装箱や包装用の紐などを用いることなく最小限の包装材を利用し、かつ包装状態で手にした者がタオルの生地や肌触りを直感的にイメージして楽しむことができる、異なる大きさのタオルを組み合わせた折畳みタオルセット及び作成方法を提供することができる。
【図面の簡単な説明】
【００１２】
【図１】本発明の一実施形態に係る折畳みタオルセットを包装用のビニールラッピングを省いた状態で示す平面図である。
【図２】図１に示した折畳みタオルセットの作成方法を説明する最初の図である。
【図３】図２に続いて折畳みタオルセットの作成方法を説明する図である。
【図４】図３に続いて折畳みタオルセットの作成方法を説明する図である。
【図５】図４に続いて折畳みタオルセットの作成方法を説明する図である。
【図６】図５に続いて折畳みタオルセットの作成方法を説明する図である。
【図７】図６に続いて折畳みタオルセットの作成方法を説明する図である。
【図８】図７に続いて折畳みタオルセットの作成方法を説明する図である。
【図９】図８に続いて折畳みタオルセットの作成方法を説明する図である。
【図１０】図１に示した第１の実施形態と異なる形態を有する本発明に係る折畳みタオルセットを包装用のビニールラッピング省いた状態で示す平面図である。
【発明を実施するための形態】
【００１３】
以下、本発明の一実施形態に係る折畳みタオルセット及びその作成方法について説明する。図１は、本発明の一実施形態に係る折畳みタオルセットを包装用のビニールラッピングを省いた状態で示す平面図である。
【００１４】
本発明の一実施形態に係る折畳みタオルセット１０（以下適宜単に「折畳みタオルセット１０」とする）は、大きさの大きい１枚の平面視長方形の第１のタオル１００とこれよりも大きさの小さい少なくとも１枚の第２のタオル２００を折りたたんで組み合わせた折畳みタオルセットである。なお、この実施形態においては、第１のタオル１００としてバスタオルを用い、第２のタオル２００としてハンドタオルを用いた場合について説明する。しかしながら、第１のタオル１００としてハンドタオルを用い、第２のタオル２００としてフェイスタオルを用いても良い。この場合、全体の大きさは前者の組み合わせよりも小さいものとなる。
【００１５】
なお、本実施形態においては、第１のタオル１００及び第２のタオル２００の双方ともそれらの素材に関しては環境保全や使用者の健康に気を使ったオーガニックコットンを用いている。
【００１６】
そして、本発明の特徴点としてあげられるように、第１のタオル１００は上面が開口した四角い箱型形状に折り畳まれており、第２のタオル２００がロール状に巻かれて第１のタオル１００の箱型形状の内部空間に収容され、第１のタオル１００の周囲を少なくとも一部が例えばビニール製の透明又は半透明の包装材（図１では図示せず）でラッピングされている。
【００１７】
続いて、本発明の特徴点を実現するための本実施形態に係る折畳みタオルセット１０の作成の仕方について、図面に基づいて作成工程順に順次説明する。図２は、図１に示した折畳みタオルセットの作成方法を説明する最初の図である。また、図３は、図２に続いて折畳みタオルセットの作成方法を説明する図である。また、図４は、図３に続いて折畳みタオルセットの作成方法を説明する図である。また、図５は、図４に続いて折畳みタオルセットの作成方法を説明する図である。また、図６は、図５に続いて折畳みタオルセットの作成方法を説明する図である。また、図７は、図６に続いて折畳みタオルセットの作成方法を説明する図である。また、図８は、図７に続いて折畳みタオルセットの作成方法を説明する図である。また、図９は、図８に続いて折畳みタオルセットの作成方法を説明する図である。なお、何れの図においても、各図の手順は、上の図（ａ）から下の図（ｂ）の順に進むように示してある。また、図８及び図９に関しては、説明を分かり易くするために斜視図として示し、第４の細長の重ね折り部分１４０についてはかなり起立させた状態で示している。
【００１８】
なお、折畳みタオルセット１０を作成するための概略工程としては、最初に、この第１作成工程においては、大きさの大きい１枚の第１のタオル１００を上面が開口した四角い箱型形状に折り畳む。そして、２つの第２のタオル２００をそれぞれロール状に折りたたんで四角い箱型形状を有する第１のタオル１００の上側開口部からその内側にそれらを収容する。以下に、この概略工程をより詳細な手順として説明する。
【００１９】
なお、以下の手順は、あくまで本発明に係る折畳みタオルセット１０の作成方法の具体的一例を示したものに過ぎず、これと折り方の順番を変えたような技術的観点から等価的な同様の他の様々な手順についても考えられ、それらについても本発明の範囲に属することを付言しておく。
【００２０】
（折畳みタオルセットの第１作成手順）
第１のタオル１００をその長手方向に２つ折りにして２つ折り形態とし（図２参照）、この２つ折り形態とした第１のタオル１００を水平に配置された折畳みタオルセット作成テーブル（図示せず）の上に置く。この際、この水平に配置された折畳みタオルセット作成テーブルの上に平面視四角形状を有する２つ折り形態とした第１のタオル１００を置くにあたって、作成者から見て対向する２つの辺を横方向としこれと異なる残りの２つの辺を縦方向とするようにテーブル状に置く。
【００２１】
（折畳みタオルセットの第２作成手順）
平面四角形を成すこの２つ折りした第１のタオル１００の４つの角部の右上の角部を第１の角部１０１と規定すると共に、それ以外の３つの角部をそれぞれ時計回りに第２の角部１０２、第３の角部１０３、第４の角部１０４と規定し、第１の角部１０１と第２の角部１０２をそれぞれ第３の角部１０３と前記第４の角部１０４に向かって、ほぼ同じ幅だけ一部折り返して、第１の細長の重ね折り部分１１０を形成し、第３の角部１０３と第４の角部１０４をそれぞれ第１の角部１０１と第２の角部１０２に向かって、同じく上述の幅とほぼ同じ幅だけ折り返して第１の細長の重ね折り部分１１０と所定間隔へだてた第２の細長の重ね折り部分１２０を形成する。
【００２２】
（折畳みタオルセットの第３作成手順）
第１のタオル１００の折り返した面と反対側面が上側になるまで第１のタオル１００の上面と下面をめくり返して、折畳みタオルセット作成テーブル上に再度置き、平面視四角形状になったこの第１のタオル１００の第１の角部１０１に最も近い裏面側の角部を第５の角部１０５、第４の角部１０４に最も近い裏側面の角部を第６の角部１０６、第３の角部１０３に最も近い裏側面の角部を第７の角部１０７、第２の角部１０２に最も近い裏側面の角部を第８の角部１０８と規定し、第７の角部１０７と第８の角部１０８をそれぞれ第６の角部１０６と第５の角部１０５に向かって折り返して、第３の細長の重ね折り部分１３０を形成する。
【００２３】
（折畳みタオルセットの第４作成手順）
第１のタオル１００の第３の細長の重ね折り部分１３０において、第２の角部１０２を上側に持ち上げて、第３の細長の重ね折り部分１３０のこの領域にできた空間１３９の奥に第３の角部１０３を掴んで差し込み、差し込み動作でできた第３の細長の重ね折り部分１３０の第１の立ち上がり１３５外側の下部であって第３の角部１０３から離れた部分に第２の角部１０２を押し付け、この手順で起き上がった第１のタオル１００の第１の立ち上がり部１３５を第５の角部１０５と第８の角部１０８に向かって丸め込んで、第１の起立側壁部１３１を形成する。
【００２４】
（折畳みタオルセットの第５作成手順）
第１のタオル１００の第５の角部１０５と第６の角部１０６をそれぞれ第８の角部１０８と第７の角部１０７に向かって一部折り返して、第３の細長の重ね折り部分１３０と所定間隔をへだてた第４の細長の重ね折り部分１４０を形成する。そして、この第４の細長の重ね折り部分１４０において、第４の角部１０４を上側に持ち上げて、第２の細長の重ね折り部分１２０のこの領域にできた空間１２９の奥に第１の角部１０１を掴んで差し込み、この差し込み動作でできた第４の細長の重ね折り部分１４０の起立した部分の外側下部であって第１の角部１０１から離れた部分に第４の角部１０４を押し付ける。そして、これらの手順で起き上がった第１のタオル１００の第２の立ち上がり部１３６を第７の角部１０７と第８の角部１０８に向かって丸め込んで第２の起立側壁部１５２を形成する。
【００２５】
（折畳みタオルセットの第６作成手順）
第１のタオル１００の第１の起立側壁部１５１の両端部と第２の起立側壁部１５２の両端部に連なる第１のタオル１００のそれぞれの部分を起立させて第３の起立側壁部１５３及び第４の起立側壁部１５４を形成する。このように上述した手順によって、第１のタオル１００の起立した第１の起立側壁部１５１乃至第４の起立側壁部１５４を箱の周囲側壁部とし箱の上部が開口した四角箱型の形態に第１のタオル１００を折り畳む。
【００２６】
（折畳みタオルセットの第７作成手順）
第２のタオル２００をロール状に巻くか畳んだ状態で箱型形状をなす第１のタオル１００の開口部から箱内の空間に、この空間が埋まるように押し込む（図１参照）ことによって、箱型形状の第１のタオル１００内に第２のタオル２００が収容した折畳みタオルセットを形成させる。
【００２７】
（折畳みタオルセットの最終作成手順）
折畳みタオルセット１０の全体を少なくとも一部が透明または半透明のここでは図示しない包装材でラッピングする。これによって、ラッピング包装内でそれぞれのタオルがばらばらにならない折畳みタオルセット１０を作成することができる。
【００２８】
なお、以上説明した折畳みタオルセット１０の作成手順の順番を一部変えて以下のように作成しても良い。
【００２９】
（変更作成手順その１）
上述した第１のタオル１００の第３の細長の重ね折り部分１３０において、第２の角部１０２を上側に持ち上げて、第４の細長の重ね折り部分１４０の間にできた空間１４９の奥に第３の角部１０３を掴んで差し込み、この差し込み動作でできた第３の細長の重ね折り部分１３０の起立した部分の内側の下部に第２の角部１０２を押し込む代わりに、第３の角部１０３を上側に持ち上げて、第３の細長の重ね折り部分１３０の間にできた空間１３９の奥に第２の角部１０２を掴んで差し込み、この差し込み動作でできた第３の細長の重ね折り部分１３０の起立した部分の外側の下部であって第２の角部１０２から離れた方向に第３の角部１０３を押し込むようにしても良い。
【００３０】
（変更作成手順その２）
上述した第１のタオル１００の第４の細長の重ね折り部分１４０において、第４の角部１０４を上側に持ち上げて、第４の細長の重ね折り部分１４０のこの領域にできた空間１４９の奥に第１の角部１０１を掴んで差し込み、この差し込み動作でできた第４の細長の重ね折り部分１４０の起立した部分の外側下部であって第１の角部１０１から離れた部分に第４の角部１０４を押し付ける代わりに、第４の細長の重ね折り部分１４０において、第１の角部１０１を上側に持ち上げて、第４の細長の重ね折り部分１４０のこの領域にできた空間１４９の奥に第４の角部１０４を掴んで差し込み、この差し込み動作でできた第４の細長の重ね折り部分１４０の起立した部分の外側下部であって第４の角部１０４から離れた部分に第１の角部１０１を押し付けるようにしても良い。
【００３１】
（変更作成手順その３）
上述した第１のタオル１００の第３の細長の重ね折り部分１３０において、第２の角部１０２を上側に持ち上げて、第３の細長の重ね折り部分１３０のこの領域にできた空間１３９の奥に第３の角部１０３を掴んで差し込み、差し込み動作でできた第３の細長の重ね折り部分１３０の起立した部分の外側の下部であって第３の角部１０３から離れた部分に第２の角部１０２を押し付け、これらの手順で起き上がった第１のタオル１００の第１の立ち上がり部を第５の角部１０５と第６の角部１０６に向かって丸め込んで、第１の起立側壁部１５１を形成し、第５の角部１０５と第６の角部１０６をそれぞれ第８の角部１０８と第７の角部１０７に向かって一部折り返して、第３の細長の重ね折り部分１３０と所定間隔をへだてた第４の細長の重ね折り部分１４０を形成し、第４の細長の重ね折り部分１４０において、第４の角部１０４を上側に持ち上げて、第２の細長の重ね折り部分１２０のこの領域にできた空間１２９の奥に第１の角部１０１を掴んで差し込み、この差し込み動作でできた第４の細長の重ね折り部分１４０の起立した部分の外側下部であって第１の角部１０１から離れた部分に第４の角部１０４を押し付ける代わりに、第５の角部１０５と第６の角部１０６を第８の角部１０８と第７の角部１０７に向かって一部折り返して、第３の細長の重ね折り部分１３０と所定間隔をへだてた第４の細長の重ね折り部分１４０を形成し、次いで、第３の細長の重ね折り部分１３０において、第２の角部１０２を上側に持ち上げて、第３の細長の重ね折り部分１３０のこの領域にできた空間１３９の奥に第３の角部１０３を掴んで差し込み、差し込み動作でできた第３の細長の重ね折り部分１３０の起立した部分の外側の下部であって第３の角部１０３から離れた部分に第２の角部１０２を押し付け、次いで、第４の細長の重ね折り部分１４０において、第４の角部１０４を上側に持ち上げて、第４の細長の重ね折り部分１４０のこの領域にできた空間１４９の奥に第１の角部１０１を掴んで差し込み、この差し込み動作でできた第４の細長の重ね折り部分１４０の起立した部分の外側下部であって第１の角部１０１から離れた部分に第４の角部１０４を押し付けても良い。
【００３２】
また、上述した実施形態のように上面が開口した四角箱型形状に折りたたんだ第１のタオル１００にロール状に巻いた第２のタオル２００を収容する代わりに、第２タオル２００を何度か折畳んでサイコロ状にしても良い。
【００３３】
図１０は、図１に示した第１の実施形態と異なる形態を有する本発明に係る折畳みタオルセットを包装用のビニールラッピング省いた状態で示す平面図である。図１０に示すように、第１のタオル１００と第２のタオル２００の他に第１のタオル１００より小さく第２のタオル２００より大きい第３のタオルを用意し、第１のタオル１００を上部が開口した箱型の形態にした上述した実施形態の手順と同じ手順で第３のタオルを第１のタオル１００に収容することが可能な程度の大きさを有する上部が開口した箱型の形態に折り畳み、第１のタオル１００の開口した上部から箱型の形態を有する第３のタオルを収容し、第３のタオルの開口した上部から第２のタオル２００を収容するような折畳みタオルセット１０の形態としても良い。この場合、第１のタオル１００をバスタオル、第２タオル２００をハンドタオル、第３のタオル３００をフェイスタオルとするのが好ましい。
【００３４】
以上の折畳みタオルセット１０の作成方法においては、第１のタオル１００をバスタオル、第２のタオル２００をフェイスタオルとしたが、これに限定されず第１のタオル１００が大きく第２のタオル２００が小さければどのような組み合わせでもよく、例えば第１のタオル１００をハンドタオル、第２のタオル２００をフェイスタオルとしても良い。また、第１のタオル１００をバスタオル、第２のタオル２００をハンドタオルとフェイスタオルの組み合わせとしても良い。
【００３５】
以上説明したように、本発明によると、包装箱や包装用の紐などを用いることなく最小限の包装材を利用し、かつ包装状態で手にした者がタオルの生地や肌触りを直感的にイメージして楽しむことができる、異なる大きさのタオルを組み合わせた折畳みタオルセット及び作成方法を提供することができる。
【００３６】
具体的には、本発明によると、特許文献１において開示された内容の問題点を解決できる。即ち、本発明は、特許文献１の内容とは異なり、同一の大きさのタオルをそれぞれロール状に巻いて包装フィルムで包んでまとめて１つの包装箱に収容した構成を取っておらず、タオル自体の折畳み方に工夫を施している。また、包装フィルムで包んだ後に更に１つの包装箱に収容するような形態を有していないので、ラッピングの包装状態で手にした者がその中に収容されたタオルの生地や肌触りなどの材質感を直感的にイメージすることができる。また、実際にタオルを使用する際に包装箱を開けて更にそれぞれのタオルを包んだ包装フィルムを剥がす二重の手間をかける必要はなく、かつ包装箱と複数の包装フィルムを全て廃棄しなくて済み、限られた地球環境の資源を無駄遣いしなくて済むので好ましい。
【００３７】
また、本発明によると特許文献２において開示された内容の問題点を解決できる。即ち、本発明は、１枚のタオルのみの折り方を工夫してラッピングしたものではないので、例えば複数枚のタオルを折り畳む場合であっても、これらをまとめてラッピングする際にそれぞれがラッピングの中でバラバラに動いて見栄えが悪くなることは無い。また、複数枚の折りたたんだタオルがラッピングの中でバラバラに動くことを防ぐためにはリボンなどの装飾性に優れた紐で縛る必要もなく、タオルセットの包装を解いて使用する際にこれらを廃棄する必要もなく、上述した特許文献１と同様に限られた地球環境の資源を無駄遣いすることなく好ましい。
【００３８】
また、タオルの材質としてオーガニックコットンを利用すれば、より地球環境にやさしくかつ肌のデリケートな使用者に対しても使い勝手の良い折畳みタオルセットとすることができる。
【００３９】
また、本発明によると、紙でできた包装箱を使用せず、少なくともは透明又は半透明のフィルムやビニールシートでラッピングしているので、使用者が包装状態で受け取った瞬間に異なる大きさのタオルが工夫されて折り畳まれていることに気がつく。これによって、他の紙でできた包装箱に複数の異なる大きさのタオルがロール状に巻かれて並べて入れられたような場合に比べて、使用者が包装状態で受け取った瞬間に柔らかい質感の良いタオルを直接感じることができ、この折畳みタオルセットを手にした時から愛着が湧くようになる。
【００４０】
特に、ラッピングは全部透明のフィルムやビニールシートでできている場合、使用者が包装状態で手にした瞬間にお弁当箱のように折りたたんだ大きなタオルの中に小さなロールケーキ状のタオルが収容されていることを視覚的にすぐに認識することができ、このタオルをすぐに使ってみたいとか長い間大切に使ってみたいとかという特別な気持ちを使用者に持たせることができる。特に子供にとっては今まで見たことがない形態の折畳み方をしたユニークな組み合わせの折畳みタオルセットであるので、上述したようにお弁当箱のように折りたたんだ大きなタオルの中に小さなロールケーキ状のタオルが収容されているようなことを連想することができ、かつこの折畳みタオルセットのラッピングを開封して大きさの異なるそれぞれのタオルに分けて広げるまでにユニークな折畳み方がされていることに気がつくので、非常に面白いタオルであることを印象づけ、常に興味を持ってこのタオルを好んで使用するようになる。
【００４１】
したがって、このタオルがオーガニックコットンでできている場合、肌のデリケートな子供が好んで使用することによって親にも安心感を与えることができる。また、大人であっても肌のデリケートな人にとっては使用するタオルに常に注意を払わなければならないので、本発明のような折畳みタオルセットをプレゼントすることで、もらった人が安心していつも使うことができることをラッピングした状態からすぐに理解でき、もらった人に喜ばれる。
【００４２】
また、上部が開口した箱型をなす第１のタオルの中にベビー用品や子供服を入れて出産祝として友人や知人に送っても、包装状態の見た目が可愛くかつ包装を解いた後もタオルとベビー用品や子供服などの使い勝手の良い組み合わせが一度にもらえるので、もらった相手に喜ばれ好ましい。
【００４３】
また、本発明に係る折畳みタオルセットのラッピングを解いて第２のタオルを取り出し、第１のタオルを上部が開口した箱型の状態のままとすることで、この箱型形状を有する第１のタオルをリビング等に置いといて室内で飼っている猫や犬箱の中に入ってくつろぐ場所としても使用しても良い。このように、従来の包装されたタオルセットとは全く異なり、本発明に係る折畳みタオルセットを用いることで、室内で飼っている犬や猫などのペット用クッションベッドとしても使用できるという特別な特徴を有している。
【００４４】
特にペット用クッションベット（ペット用クッションやペット用ベッド）は、それにこびりついた犬や猫の毛や糞尿等のペット臭、クッションベット自体にいる蚤などの駆除のために定期的に選択して乾燥させるのが好ましいが、特別な形状を有するとこのような洗濯や乾燥を行なうのにかなり手間がかかる。しかしながら、本発明に係る折畳みタオルセットを用いると、上部が開口した箱型形状の形態をばらして１枚の大きなバスタオルに広げることができる。そのため、通常家庭で用いているバスタオルと同じように選択して乾燥させることができ、ペットの飼い主にとって手間がかからず非常に使いやすいペット用品としても用いることができる。
【００４５】
また、本発明に係る折畳みタオルセットをラッピングから開封した場合であっても、上述した四角い箱型の一定形状を保っているので、その状態においては肌触りがよく柔らかい枕のような役目を果たすことができる。したがって、この折畳みタオルセットをすぐそれぞれのタオルにばらさずに例えばリビングのソファの片隅においてソファに横たわる際に枕代わりにしてリラックスした一時を過ごしても良い。本発明に係る折畳みタオルセットをこのように枕代わりにも使用できる点においても、従来のタオルセットでは全く考えられない斬新性を有していると言える。
【００４６】
また、本発明に係る折畳みタオルセットを作成するにあたって、大きさの大きいタオルを上部は開口した箱型に折畳み、これよりも大きさの小さいタオルを丸めたり折り畳んだりして前記箱型の折り畳んだタオルの上に収容して全体をラッピングするだけの簡単な作業で作成できるので、刃物等の危険物や有害な化学物質を用いることなく卓上で作成作業を行うことができる。そのため、簡単な軽作業を行う福祉施設などに作成作業を依頼することができ、このような施設で暮らす人々に雇用の機会を提供することが可能となるので、社会福祉の点からも好ましいと言える。
【００４７】
なお、以上説明した実施の形態及びその変形例はあくまで本発明の適用範囲の一例を示したものに過ぎず、本発明の作用効果を発揮し得る範囲内であれば上述以外の様々な変形例が考えられることは言うまでもない。
【符号の説明】
【００４８】
１０    折畳みタオルセット
１００    第１のタオル
１０１    第１の角部
１０２    第２の角部
１０３    第３の角部
１０４    第４の角部
１０５    第５の角部
１０６    第６の角部
１０７    第７の角部
１０８    第８の角部
１１０    第１の細長の重ね折り部分
１１９    空間
１２０    第２の細長の重ね折り部分
１２９    空間
１３０    第３の細長の重ね折り部分
１３９    空間
１３５    第１の立ち上がり部
１４０    第４の細長の重ね折り部分
１５１    第１の起立側壁部
１５２    第２の起立側壁部
１５３    第３の起立側壁部
１５４    第４の起立側壁部
１４９    空間
２００    第２のタオル
３００    第３のタオル
【図１】
2018117960.tif 000003
【図２】
2018117960.tif 000004
【図３】
2018117960.tif 000005
【図４】
2018117960.tif 000006
【図５】
2018117960.tif 000007
【図６】
2018117960.tif 000008
【図７】
2018117960.tif 000009
【図８】
2018117960.tif 000010
【図９】
2018117960.tif 000011
【図１０】
2018117960.tif 000012